(57)【要約】      （修正有）【課題】就寝時に着用しやすく不快感も低減した夜用ブラジャーを提供する。【解決手段】就寝時に着用する夜用ブラジャーは、左カップ部１０と、右カップ部２０と、フロントホック部３０と、バックベルト部と、左右肩紐部５０とからなる。左カップ部１０は、パッドを収容可能なポケット１１を有し、右カップ部２０は、パッドを収容可能なポケット２１を有する。フロントホック部３０は、着用者の身体の前側で左カップ部１０と右カップ部２０の間を係合可能なものである。バックベルト部は、着用者の身体の脇から背中側に延在し、左カップ部１０及び右カップ部２０に縫製される。左右肩紐部５０は、バックベルト部の上部並びに左カップ部１０及び右カップ部２０の上部に縫製される。そして、左カップ部１０又は右カップ部２０のポケット内に収容可能な位置に品質表示用タグが縫製される。【選択図】図１
0003222918.tif 000002
【実用新案登録請求の範囲】
【請求項１】
就寝時に着用する夜用ブラジャーであって、該夜用ブラジャーは、
パッドを収容可能なポケットを有する左カップ部と、
パッドを収容可能なポケットを有する右カップ部と、
着用者の身体の前側で前記左カップ部と右カップ部の間を係合可能なフロントホック部と、
着用者の身体の脇から背中側に延在し、前記左カップ部及び右カップ部に縫製されるバックベルト部と、
着用者の身体の肩側に延在し、前記バックベルト部の上部並びに前記左カップ部及び右カップ部の上部に縫製される左右肩紐部と、
を具備し、
前記左カップ部又は右カップ部のポケット内に収容可能な位置に品質表示用タグが縫製されることを特徴とする夜用ブラジャー。
【請求項２】
請求項１に記載の夜用ブラジャーにおいて、前記バックベルト部は、パワーネット生地からなることを特徴とする夜用ブラジャー。
【請求項３】
請求項１又は請求項２に記載の夜用ブラジャーにおいて、前記バックベルト部の脇部分は、バストが脇側に流れない程度の高さ有する脇高構造であることを特徴とする夜用ブラジャー。
【請求項４】
請求項１乃至請求項３の何れかに記載の夜用ブラジャーにおいて、前記フロントホック部は、締め付け加減を調整可能に構成されることを特徴とする夜用ブラジャー。
【請求項５】
請求項１乃至請求項４の何れかに記載の夜用ブラジャーにおいて、前記左カップ部及び右カップ部は、バストを正しい位置に保持し脇側に流れないように包み込みながら持ち上げるノンワイヤー構造であることを特徴とする夜用ブラジャー。
【請求項６】
請求項１乃至請求項５の何れかに記載の夜用ブラジャーにおいて、前記バックベルト部及び／又は左右肩紐部は、着用者の身体に触れない面側で左カップ部及び右カップ部に縫製されることを特徴とする夜用ブラジャー。
【考案の詳細な説明】
【技術分野】
【０００１】
本考案は夜用ブラジャーに関し、特に、就寝時に着用しバストの型崩れを防止するための夜用ブラジャーに関する。
【背景技術】
【０００２】
日中に着用する通常のブラジャーは、バストを持ち上げしっかり支えるようにワイヤーが内蔵された構造のものが多く、下からのホールド力が強いものが一般的である。このような日中用ブラジャーを就寝時に着用した場合には、ホールド力が強いため窮屈感や締め付け感を強く感じる場合がある。このため、リラックスできず睡眠が浅くなり得るものであった。また、日中用ブラジャーは、ホック部が背中側にあるため、就寝時にホック部が背中に食い込み、痛みや痒みを感じる場合もあった。
【０００３】
そこで、就寝時に着用しバストの型崩れを防止するために開発されたブラジャーとして、夜用ブラジャー（ナイトブラジャー）が知られている。例えば特許文献１に開示のブラジャーは、就寝時の窮屈感や締め付け感を与えることなく、バストの移動や変形を抑制するために、カップ部の上部にサポート布を設けたものである。また、ホック部を設けず、脚から履くようにして又は頭から被るようにしてバストを覆うところまで移動させて着用するようにしているため、ホック部の背中への食い込みも無い。
【先行技術文献】
【特許文献】
【０００４】
【特許文献１】実用新案登録第３１６７８２７号
【考案の概要】
【考案が解決しようとする課題】
【０００５】
しかしながら、従来技術に挙げたような夜用ブラジャーは、ホックが付いておらず脚から履くようにして又は頭から被るようにしてバストを覆うところまで移動させて着用するものであったため、汗や風呂上り等で身体が濡れた状態では着用しづらいものであった。また、ブラジャーには品質表示用タグの取付が義務付けられているが、タグが肌に触れて痒み等の不快感を生ずる場合もあった。
【０００６】
本考案は、斯かる実情に鑑み、就寝時に着用しやすく不快感も低減した夜用ブラジャーを提供しようとするものである。
【課題を解決するための手段】
【０００７】
上述した本考案の目的を達成するために、本考案による夜用ブラジャーは、パッドを収容可能なポケットを有する左カップ部と、パッドを収容可能なポケットを有する右カップ部と、着用者の身体の前側で左カップ部と右カップ部の間を係合可能なフロントホック部と、着用者の身体の脇から背中側に延在し、左カップ部及び右カップ部に縫製されるバックベルト部と、着用者の身体の肩側に延在し、バックベルト部の上部並びに左カップ部及び右カップ部の上部に縫製される左右肩紐部と、を具備し、左カップ部又は右カップ部のポケット内に収容可能な位置に品質表示用タグが縫製されることを特徴とするものである。
【０００８】
ここで、バックベルト部は、パワーネット生地からなるものであれば良い。
【０００９】
また、バックベルト部の脇部分は、バストが脇側に流れない程度の高さ有する脇高構造であれば良い。
【００１０】
また、フロントホック部は、締め付け加減を調整可能に構成されるものであれば良い。
【００１１】
また、左カップ部及び右カップ部は、バストを正しい位置に保持し脇側に流れないように包み込みながら持ち上げるノンワイヤー構造であれば良い。
【００１２】
また、バックベルト部及び／又は左右肩紐部は、着用者の身体に触れない面側で左カップ部及び右カップ部に縫製されるものであれば良い。
【考案の効果】
【００１３】
本考案の夜用ブラジャーには、就寝時に着用しやすく不快感も低減可能であるという利点がある。
【図面の簡単な説明】
【００１４】
【図１】図１は、本考案の夜用ブラジャーを説明するための正面概略図である。
【図２】図２は、本考案の夜用ブラジャーを説明するための背面概略図である。
【図３】図３は、本考案の夜用ブラジャーのカップ部内側の構造を説明するための概略拡大図である。
【考案を実施するための形態】
【００１５】
以下、本考案を実施するための形態を図示例と共に説明する。本考案の夜用ブラジャーは、着用者が就寝時に着用するものであれば良い。図１は、本考案の夜用ブラジャーを説明するための正面概略図であり、図２は、本考案の夜用ブラジャーを説明するための背面概略図である。図中、同一の符号を付した部分は同一物を表している。図示の通り、本考案の夜用ブラジャーは、左カップ部１０と、右カップ部２０と、フロントホック部３０と、バックベルト部４０と、左右肩紐部５０と、から主に構成されている。
【００１６】
左カップ部１０は、ポケット１１を有する。ポケット１１は、パッドを収容可能なものである。ポケット１１は、左カップ部１０の内側（バスト側）に設けられる。ポケット１１の口は、図示例ではカップの中央に設けられているものを示した。しかしながら、本考案はこれに限定されず、例えば脇側にポケット１１の口が設けられても良い。ポケット１１の口は、例えば左カップ部１０の内側のバストに触れる布が重なるようにして構成されれば良い。そして、ポケット１１の口からパッドが挿入される。パッドは、バストの形状を整えるためにポケット１１に収容されるものである。パッドは、柔らかいコットンやシリコン、ポリエステル等の素材からなるものである。パッドは、バストの下脇部を支え仰向け時に横流れを防ぎバストを中央に寄せ上げるよう、パッドの下脇部のほうが厚みを大きくしたものであれば良い。なお、パッドはポケット１１内に単に挿入されるものであっても良いし、ポケット１１内に縫製されるものであっても良い。このような構成により、左カップ部１０によりバストを包み込みながらパッドによりバストの下脇部を持ち上げるようにホールド可能となる。
【００１７】
同様に、右カップ部２０は、ポケット２１を有する。ポケット２１も、パッドを収容可能なものである。ポケット２１は、右カップ部２０の内側（バスト側）に設けられる。ポケット２１の口は、図示例ではカップの中央に設けられているものを示した。しかしながら、本考案はこれに限定されず、例えば脇側にポケット２１の口が設けられても良い。ポケット２１の口は、例えば右カップ部２０の内側のバストに触れる布が重なるようにして構成されれば良い。そして、ポケット２１の口からパッドが挿入される。パッドは、バストの形状を整えるためにポケット２１に収容されるものである。パッドは、柔らかいコットンやシリコン、ポリエステル等の素材からなるものである。パッドは、バストの下脇部を支え仰向け時に横流れを防ぎバストを中央に寄せ上げるよう、パッドの下脇部のほうが厚みを大きくしたものであれば良い。なお、パッドはポケット２１内に単に挿入されるものであっても良いし、ポケット２１内に縫製されるものであっても良い。このような構成により、右カップ部２０によりバストを包み込みながらパッドによりバストの下脇部を持ち上げるようにホールド可能となる。
【００１８】
このように、左カップ部１０と右カップ部２０は、左右対称であれば良い。また、左カップ部１０及び右カップ部２０は、就寝時、即ち仰向け時にバストを正しい位置に保持し脇側に流れないように包み込みながら持ち上げる形状を有していれば良いが、ノンワイヤー構造であることが重要である。これは、本考案の夜用ブラジャーは就寝時に着用するものであるため、ワイヤーが内蔵されていると固すぎて不快感が出るためである。
【００１９】
そして、フロントホック部３０は、着用者の身体の前側で左カップ部１０と右カップ部２０の間を係合可能なものである。フロントホック部３０は、例えば係合爪であるオス側ホックと、係合孔であるメス側ホックとからなる。フロントホック部３０は、例えばメス側ホックを数列並んで配置することで、締め付け加減が調整可能に構成されれば良い。このように、本考案の夜用ブラジャーは、フロントホック構造とすることで、背中側の不快感を低減している。また、汗や風呂上り等で身体が濡れた状態であっても、フロントホック構造であるため容易に着用可能である。さらに、夜用ブラジャーを外す際にも、頭側や脚側に移動させる必要がないため、容易に脱ぐことが可能である。
【００２０】
また、バックベルト部４０は、左カップ部１０及び右カップ部２０に縫製されるものである。バックベルト部４０は、着用者の身体の脇から背中側に延在する。即ち、左カップ部１０及び右カップ部２０は、着用者の身体の前側はフロントホック部３０で接続され、着用者の身体の背中側はバックベルト部４０で接続される。バックベルト部４０は、例えばパワーネット生地からなるものであれば良い。パワーネット生地は、ナイロンやポリウレタン等からなるものであり、伸縮性が高く丈夫で強い弾力を持ちシワになり難く、また通気性にも富んでいるものである。バックベルト部４０は、背中に食い込んで不快感が出ない程度の高さを有する帯状のものであれば良い。さらに、バックベルト部４０の脇部分は、就寝時、即ち仰向けになった状態でバストが脇側に流れない程度の高さ有する脇高構造であれば良い。
【００２１】
左右肩紐部５０は、着用者の身体の肩側に延在するものである。左右肩紐部５０は、バックベルト部４０の上部並びに左カップ部１０及び右カップ部２０の上部に縫製される。即ち、左右肩紐部５０は、左カップ部１０の上部からバックベルト部４０の上部左側にわたって延在する左肩紐と、右カップ部２０の上部からバックベルト部４０の上部右側にわたって延在する右肩紐とからなる。左右肩紐部５０は、ナイロンやポリウレタン等からなるものであり、図示のように、肩に食い込んで不快感が出ない程度の幅を有するものであれば良い。また、適宜レース等をあしらいデザイン性を高めても良い。
【００２２】
ここで、バックベルト部４０及び／又は左右肩紐部５０は、着用者の身体に触れない面側で左カップ部１０及び右カップ部２０に縫製されれば良い。これは、身体に触れる側で縫製されると、縫い目や縫い代等により肌への不快感が現れる場合があるためである。本考案の夜用ブラジャーでは、身体に触れない面側、即ち、表面側でバックベルト部４０や左右肩紐部５０が縫製されるため、肌に直接触れる左カップ部１０及び右カップ部２０に対する不快感はない。
【００２３】
そして、本考案の夜用ブラジャーでは、左カップ部１０又は右カップ部２０のポケット１１又はポケット２１内に収容可能な位置に、品質表示用タグ６０が縫製されている。具体的に図３を用いて説明する。図３は、本考案の夜用ブラジャーのカップ部内側の構造を説明するための概略拡大図である。図中、図１と同一の符号を付した部分は同一物を表している。なお、図３では左カップ部１０の内側を示し、左カップ部１０のポケット１１に対して説明をしたが、本考案はこれに限定されず、右カップ部２０のポケット２１であっても良い。また、一例としてフロントホック部３０のメス側ホックも図示している。図示の通り、品質表示用タグ６０がポケット１１の口の近傍に縫製されている。品質表示用タグ６０には、例えばブラジャーのメーカ名、型番、サイズ、生産国、素材等が記載されている。品質表示用タグ６０は、消費者庁により表示が義務付けられているものである。図３に示されるように、本考案の夜用ブラジャーでは、品質表示用タグ６０の根元側がポケット１１の口の近傍に縫製されている。これにより、品質表示用タグ６０の先端側は、ポケット１１内に収容できる。ポケット１１の口は、例えば図示のように左カップ部１０の内側のバストに触れる布が重なるようにして構成されているため、品質表示用タグ６０をポケット１１の口の布の重なり部に縫製すれば、品質表示用タグ６０が肌に直接触れることを完全に防止可能である。したがって、ブラジャー着用時には、品質表示用タグ６０はポケット１１内に収容されているため、肌に触れて痒み等の不快感を生ずるおそれが無くなる。なお、本考案の夜用ブラジャーの販売時には、品質表示用タグ６０をポケット１１の外側に出すようにしておき見やすい箇所に表示するようにしつつ、着用時にはポケット内に収容するようにしても良い。
【００２４】
なお、本考案の夜用ブラジャーは、上述の図示例にのみ限定されるものではなく、本考案の要旨を逸脱しない範囲内において種々変更を加え得ることは勿論である。
【符号の説明】
【００２５】
１０    左カップ部
１１    ポケット
２０    右カップ部
２１    ポケット
３０    フロントホック部
４０    バックベルト部
５０    左右肩紐部
６０    品質表示用タグ
【図１】
0003222918.tif 000003
【図２】
0003222918.tif 000004
【図３】
0003222918.tif 000005